(57)【要約】【課題】装置のメモリ容量はそのままで、初期設定時に表示させる装置設定ガイダンスを詳細にできる通信装置を提供する。【解決手段】予め所定のセンター装置の通信アドレスが登録されており、所定の初期設定操作をする際には、通信ネットワークＮを通じてそのセンター装置にアクセスして装置設定ガイダンスを受信し、受信した装置設定ガイダンスを表示する構成とした。【選択図】図１
2004023700.tif 000002
【特許請求の範囲】
【請求項１】
通信ネットワークに接続可能な通信装置において、
予め所定のセンター装置の通信アドレスが登録されており、所定の初期設定操作をする際には、上記通信ネットワークを通じてそのセンター装置にアクセスして装置設定ガイダンスを受信し、受信した装置設定ガイダンスを表示する構成とした通信装置。
【請求項２】
請求項１において、
初期設定された設定情報を、上記通信ネットワークを通じて上記センター装置に送信し、これを受けたセンター装置からファクシミリ送信される上記設定情報を少なくとも受信する構成とした通信装置。
【請求項３】
通信ネットワークに接続可能なセンター装置において、上記通信ネットワークを通じた通信装置からのアクセスを受けたときには、その通信装置に対して装置設定ガイダンスを送信し、初期設定操作の完了した通信装置からの設定情報の受信に対し、上記通信装置に対し、少なくとも受信した設定情報をファクシミリ送信する構成としたセンター装置。
【発明の詳細な説明】
【０００１】
【発明の属する技術分野】
本発明は、ファクシミリ装置などの通信装置の改良に関する。
【０００２】
【従来の技術】
従来より、ファクシミリ装置などの通信装置では、設定時には、自装置のファクシミリ番号、メールアドレス、短縮ダイヤル、ワンタッチダイヤルなどの各種の初期設定が必要となる。
【０００３】
従来、このような初期設定をするには、装置に添付の操作マニュアルを参照したり、表示部に簡易表示される装置設定ガイダンスを参照しながら行っているのが通常であった。
【０００４】
【発明が解決しようとする課題】
ところが、上記した従来の通信装置では、操作マニュアルを参照しながら初期設定をするのは、装置の操作に不慣れな人にとっては簡易な作業ではなかった。
【０００５】
また、表示部に簡易表示される装置設定ガイダンスは、必要最小限の情報しか表示されないため、操作マニュアル同様、装置の操作に不慣れな人にとっては簡易な作業ではなかった。
【０００６】
これを解決するためには、装置に表示部に表示される操作マニュアルを、画像などを併記させてより詳細に表示させることが要求されるが、これをするためには、装置内部のメモリ容量には限界があるため、登録する情報量には限界があるし、どうしてもそれを実行しようとすると、メモリ容量を大きくする必要があり、装置の巨大化、コスト高の要因となる。
【０００７】
本発明は、上記事情を考慮してなされたものであり、装置のメモリ容量はそのままで、初期設定時に表示させる装置設定ガイダンスを詳細にできる通信装置、および通信装置にこのような機能を実行させることのできるセンター装置を提供することを目的としている。
【０００８】
【課題を解決するための手段】
上記目的を達成するために、本発明の請求項１に記載の通信装置では、予め所定のセンター装置の通信アドレスが登録されており、所定の初期設定操作をする際には、通信ネットワークを通じてそのセンター装置にアクセスして装置設定ガイダンスを受信し、受信した装置設定ガイダンスを表示する構成とした。
【０００９】
請求項２に記載の通信装置では、初期設定された設定情報を、上記通信ネットワークを通じて上記センター装置に送信し、これを受けたセンター装置からファクシミリ送信される上記設定情報を少なくとも受信する構成とした。
【００１０】
請求項３に記載のセンター装置では、通信ネットワークを通じた通信装置からのアクセスを受けたときには、その通信装置に対して装置設定ガイダンスを送信し、初期設定操作の完了した通信装置からの設定情報の受信に対し、通信装置に対し、少なくとも受信した設定情報をファクシミリ送信する構成とした。
【００１１】
【発明の実施の形態】
以下に、本発明の実施の形態について、図面とともに説明する。
【００１２】
図１は、本発明の通信装置の要部構成の一例を示す図である。なお、ここでは、通信装置としてファクシミリ装置Ｆの構成を示しているが、本発明はこの例に限られず、インターネットなどの通信ネットワークに接続可能な装置であれば何を用いてもよい。
【００１３】
このファクシミリ装置Ｆは、このファクシミリ装置Ｆを制御するＭＰＵ１と、電話回線Ｌに対する接続制御をするＮＣＵ２と、ファクシミリ通信に必要な各種信号を変復調するモデム３と、原稿を読み取り画像データを形成するスキャナ４と、画像データを予めセットされた記録紙に印字出力するプリンタ５と、このファクシミリ装置Ｆが動作するために必要な各種プログラムなどを記憶するＲＯＭ６と、ファクシミリ装置Ｆの初期設定情報などを記憶するＲＡＭ７と、画像データを一時格納する画像メモリ８と、画像データの符号化、復号をするコーデック９と、液晶画面などで構成される表示部１０と、各種操作キーなどで構成される操作部１１と、通信ネットワークの１つであるインターネットＮ（図２参照）に接続するためのインタフェース１２とを備える。
【００１４】
図２は、本発明のセンター装置の要部構成の一例を示す図である。なお、ここでは、センター装置として、例えば、パーソナルコンピュータが使用される。
【００１５】
このセンター装置Ｃは、このセンター装置Ｃを制御するＭＰＵ１３と、電話回線Ｌに対する接続制御をするＮＣＵ１４と、ファクシミリ通信に必要な各種信号を変復調するモデム１５と、このセンター装置Ｃが動作するために必要な各種プログラムなどを記憶するＲＯＭ１６と、センター装置Ｃの動作に必要な情報を記憶するＲＡＭ１７と、画像データの符号化、復号をするコーデック１８と、液晶画面などで構成される表示部１９と、各種操作キーなどで構成される操作部２０と、インターネットＮ（図２参照）に接続するためのインタフェース２１とを備える。
【００１６】
これらのファクシミリ装置Ｆやセンター装置Ｃは、図２に示すような形態にて用いられる。すなわち、ファクシミリ装置Ｆには、インターネットＮを通じてセンター装置Ｃが接続され、ファクシミリ装置Ｆとセンター装置Ｃとの間は、電話回線を通じて接続されている。
【００１７】
このような構成によれば、ファクシミリ装置Ｆにて、自身のファクシミリ番号やメールアドレス、短縮ダイヤル、ワンタッチダイヤルなどの初期設定情報を設定する際、所定のキー操作をすれば、予めＲＡ７に登録されているＵＲＬ（センター装置ＣのＵＲＬ）をインターネットＮを通じてアクセスする（１００）。
【００１８】
すると、これを受けたセンター装置Ｃからは、装置設定ガイダンスがインターネットＮを通じて送信されてくるので、これを受信して表示部１０に表示する（１０１）。ここで、センター装置Ｃからの装置設定ガイダンスは、画像つきのガイダンスなど、比較的情報量の多いものである。
【００１９】
すると、ユーザは、表示部１０に表示された詳細なガイダンスを見ながら初期設定ができる（１０２）。このようにして設定された初期設定情報は、センター装置Ｃに送信され（１０３）、ファクシミリ装置Ｆとセンター装置Ｃとの回線が遮断される（１０４）。
【００２０】
ついで、センター装置Ｃからは電話回線Ｌを通じて発呼されるのでこれに対して着信し（１０５）、センター装置Ｃから返信されてくる設定情報をリストとしてファクシミリ受信する（１０６）。
【００２１】
一方のセンター装置Ｃは、図４に示す処理をする。すなわち、センター装置Ｃは、ファクシミリ装置Ｆからのアクセスを検出すると（２００）、装置設定ガイダンスをインターネットＮを通じてファクシミリ装置Ｆに送信する（２０１）。
【００２２】
そして、初期設定操作の完了したファクシミリ装置Ｆより設定情報を受信すると（２０２）、そのファクシミリ装置Ｆを電話回線Ｌを通じて発呼し（２０３）、着信があれば、その設定情報を、初期設定操作完了の情報とともにファクシミリ送信する（２０４）。
【００２３】
【発明の効果】
以上説明したように、本発明の請求項１に記載の通信装置では、所定の初期設定操作をする際には、通信ネットワークを通じてそのセンター装置にアクセスして装置設定ガイダンスを受信し、受信した装置設定ガイダンスを表示するので、装置のメモリ容量はそのままで、初期設定時に表示させる装置設定ガイダンスを詳細にでき、装置の操作に不慣れなユーザでも簡易に設定作業をすることができる。
【００２４】
請求項２に記載の通信装置では、通信ネットワークを通じてセンター装置に送信するので、センター装置では、ファクシミリ装置で初期設定情報の設定状況が容易に管理できる。
【００２５】
また、ファクシミリ装置は、センター装置からファクシミリ送信される設定情報を少なくとも受信するので、ファクシミリ装置では、設定した情報を容易に管理できる。
【００２６】
請求項３に記載のセンター装置では、通信ネットワークを通じた通信装置からのアクセスを受けたときには、その通信装置に対して装置設定ガイダンスを送信するので、通信装置に対して、請求項１の効果を発揮させることができる。
【００２７】
また、センター装置は、初期設定操作の完了した通信装置からの設定情報の受信をするので、センター装置において、通信装置の初期設定情報の管理が容易となる。
【００２８】
更に、センター装置は、通信装置に対し、少なくとも、受信した設定情報をファクシミリ送信するので、通信装置に対して、請求項２の効果を発揮させることができる。
【図面の簡単な説明】
【図１】本発明の通信装置の要部構成の一例を示す図である。
【図２】本発明のセンター装置の要部構成の一例を示す図である。
【図３】通信装置およびセンター装置の使用例を示す図である。
【図４】通信装置の動作について説明するためのフローチャートである。
【図５】センター装置の動作について説明するためのフローチャートである。
【符号の説明】
Ｆ・・・ファクシミリ装置
Ｃ・・・センター装置
Ｎ・・・インターネット
【図１】
2004023700.tif 000003
【図２】
2004023700.tif 000004
【図３】
2004023700.tif 000005
【図４】
2004023700.tif 000006
【図５】
2004023700.tif 000007